(57)【要約】【課題】重量やサイズに影響を与えることなく、動作モード切り替えの誤操作を防止する。【解決手段】電子時計１００は、動作モードを切り替える入力を受け付けるキー入力手段１０４と、動作モードを所定モードに切り替えるためにキー入力手段１０４が所定時間以上入力を受け付けた場合には動作モードを固定するモード固定状態で動作モードを所定モードに切り替え、モード固定状態の所定モード時にはキー入力手段１０４が所定時間以上入力を受け付けた場合にのみ動作モードを所定モードから他のモードに切り替えるＣＰＵ１０１とを備える。【選択図】図２
2015021740.tif 000002
【特許請求の範囲】
【請求項１】
動作モードを切り替える入力を受け付ける入力部と、
動作モードを所定モードに切り替えるために前記入力部が所定時間以上入力を受け付けた場合には動作モードを固定するモード固定状態で動作モードを前記所定モードに切り替え、前記モード固定状態の前記所定モード時には前記入力部が所定時間以上入力を受け付けた場合にのみ動作モードを前記所定モードから他のモードに切り替える制御部と、
を備えることを特徴とする電子時計。
【請求項２】
前記制御部は、前記モード固定状態でない前記所定モード時に前記入力部が所定時間以上入力を受け付けると、所定機能を実行している場合には前記モード固定状態になり、前記所定機能を実行していない場合には時刻を表示する時刻表示モードに動作モードを切り替える
ことを特徴とする請求項１に記載の電子時計。
【請求項３】
前記所定モードは、時間を計測するクロノグラフモードであって、
時間を計測する時間計測部を備え、
前記制御部は、前記モード固定状態でない前記クロノグラフモード時に前記入力部が所定時間以上入力を受け付けると、前記時間計測部が時間を計測している場合は前記固定状態になり、前記時間計測部が時間を計測していない場合には前記時刻表示モードに動作モードを切り替える
ことを特徴とする請求項２に記載の電子時計。
【請求項４】
前記所定モードは、高度および／または方位を計測する計測モードであって、
高度を計測する高度計測部および／または方位を検出する方位検出部と、
前記高度計測部が計測した高度および／または前記方位検出部が検出した方位を記録する記録部と、
を備え、
前記制御部は、前記モード固定状態でない前記計測モード時に前記入力部が所定時間以上入力を受け付けると、前記記録部が所定時間毎に高度および／または方位を記録している場合は前記モード固定状態になり、前記記録部が所定時間毎に高度および／または方位を記録していない場合には前記時刻表示モードに動作モードを切り替える
ことを特徴とする請求項２に記載の電子時計。
【請求項５】
前記所定モードは、時間を計測するクロノグラフモード、高度または方位を計測する計測モード、歩数を計測する歩数計測モード、または、心拍を検出する心拍検出モードである
ことを特徴とする請求項１または２に記載の電子時計。
【発明の詳細な説明】
【技術分野】
【０００１】
本発明は、電子時計に関する。
【背景技術】
【０００２】
従来から、経過時間を計測するストップウォッチ機能を備えた腕時計が利用されている。この腕時計を腕に装着しているとき、手首の屈曲等によって意図しないところでボタンが入力されてしまうことがある。例えば、ストップウォッチの動作中に、意図しないボタン入力により画面（動作モード）が切り替わってしまうと、ストップウォッチの経過時間を確認しようとしたときに、違う画面が表示されていることがある。そこで、特許文献１には、腕時計についているボタンの誤入力防止のため、ボタン部にカバーを設ける技術が記載されている。また、特許文献２には、ボタンにロック機構を設ける技術が記載されている。
【先行技術文献】
【特許文献】
【０００３】
【特許文献１】特開２０１２−１６３３４０号公報
【特許文献２】特開２００２−１６３９４９号公報
【発明の概要】
【発明が解決しようとする課題】
【０００４】
しかしながら、特許文献１及び２に記載された技術では、機構的に複雑になるばかりでなく、電子時計のサイズや重量、コストの増大の要因となる、という問題がある。また、ボタン操作を行う場面では、ロックの解除やカバーを外す等の操作が必要となり、すぐにボタンを押すことができないという問題がある。
【０００５】
そこで、本発明は上述の事情を鑑みてなされたものであり、重量やサイズに影響を与えることなく、動作モード切り替えの誤操作を防止することができる電子時計を提供することを目的とする。
【課題を解決するための手段】
【０００６】
本発明は、動作モードを切り替える入力を受け付ける入力部と、動作モードを所定モードに切り替えるために前記入力部が所定時間以上入力を受け付けた場合には動作モードを固定するモード固定状態で動作モードを前記所定モードに切り替え、前記モード固定状態の前記所定モード時には前記入力部が所定時間以上入力を受け付けた場合にのみ動作モードを前記所定モードから他のモードに切り替える制御部と、を備えることを特徴とする電子時計である。
【０００７】
また、本発明の電子時計において、前記制御部は、前記モード固定状態でない前記所定モード時に前記入力部が所定時間以上入力を受け付けると、所定機能を実行している場合には前記モード固定状態になり、前記所定機能を実行していない場合には時刻を表示する時刻表示モードに動作モードを切り替えることを特徴とする。
【０００８】
また、本発明の電子時計において、前記所定モードは、時間を計測するクロノグラフモードであって、時間を計測する時間計測部を備え、前記制御部は、前記モード固定状態でない前記クロノグラフモード時に前記入力部が所定時間以上入力を受け付けると、前記時間計測部が時間を計測している場合は前記固定状態になり、前記時間計測部が時間を計測していない場合には前記時刻表示モードに動作モードを切り替えることを特徴とする。
【０００９】
また、本発明の電子時計において、前記所定モードは、高度および／または方位を計測する計測モードであって、高度を計測する高度計測部および／または方位を検出する方位検出部と、前記高度計測部が計測した高度および／または前記方位検出部が検出した方位を記録する記録部と、を備え、前記制御部は、前記モード固定状態でない前記計測モード時に前記入力部が所定時間以上入力を受け付けると、前記記録部が所定時間毎に高度および／または方位を記録している場合は前記モード固定状態になり、前記記録部が所定時間毎に高度および／または方位を記録していない場合には前記時刻表示モードに動作モードを切り替えることを特徴とする。
【００１０】
また、本発明の電子時計において、前記所定モードは、時間を計測するクロノグラフモード、高度または方位を計測する計測モード、歩数を計測する歩数計測モード、または、心拍を検出する心拍検出モードであることを特徴とする。
【発明の効果】
【００１１】
本発明によれば、入力部が所定時間以上入力を受け付けた場合には動作モードを固定するモード固定状態で動作モードを所定モードに切り替え、モード固定状態の所定モード時には入力部が所定時間以上入力を受け付けた場合にのみ動作モードを所定モードから他のモードに切り替える。すなわち、モード固定状態では、入力部が所定時間未満の入力（短押し入力）を受け付けた場合は、動作モードを切り替えない。よって、例えば、所定モードがストップウォッチ機能を実行するクロノグラフモードである場合には、走行時間の計測中に手首の屈折等によりユーザが意図しないところで入力部が押下されたとしても、動作モードが切り替わることがない。また、ボタンのカバーやロック機構を設ける必要がないため、電子時計のサイズや重量に影響を与えない。従って、電子時計のサイズや重量に影響を与えることなく、動作モード切り替えの誤操作を防止することができる。
【図面の簡単な説明】
【００１２】
【図１】第１の実施形態における電子時計の外観構成を示す正面図である。
【図２】第１の実施形態における電子時計の構成を示すブロック図である。
【図３】第１の実施形態における電子時計の動作モードの遷移を示す概略図である。
【図４】第１の実施形態における電子時計が実行する動作モード切替処理の処理手順を示したフローチャートである
【図５】第２の実施形態における電子時計の構成を示すブロック図である。
【図６】第２の実施形態における電子時計の動作モードの遷移を示す概略図である。
【図７】第２の実施形態における電子時計が実行する動作モード切替処理の処理手順を示したフローチャートである。
【発明を実施するための形態】
【００１３】
（第１の実施形態）
以下、本発明の第１の実施形態について、図面を参照しながら説明する。図１は、本実施形態における電子時計１００の外観構成を示す正面図である。電子時計１００は、ある時点からの経過時間を計測するストップウォッチ機能付き電子時計である。電子時計１００は、現在時刻を表示する時刻モードと、ストップウォッチ機能により経過時間を計測するクロノグラフモードと、クロノグラフモードにおいて計測した結果を表示するデータモードと、アラームを設定するアラームモードとの４種類の動作モードのいずれかで動作する。
【００１４】
図示するように、電子時計１００は、複数（本実施形態では６つ）のキー入力手段１０４（入力部）と、表示部１０５とを備えている。キー入力手段１０４は、例えばボタン（スイッチ）等であり、操作入力を受け付ける。以下、説明の便宜を図るため、６つのキー入力手段１０４のそれぞれに対しＡからＦの符号を割り当て、キー入力手段１０４Ａ、１０４Ｂ、１０４Ｃ、１０４Ｄ、１０４Ｅ、１０４Ｆと記す。なお、各キー入力手段１０４Ａ〜１０４Ｆに共通する事項については、Ａ〜Ｆの符号を省略し、単にキー入力手段１０４又は各キー入力手段１０４と記す。キー入力手段１０４のうち１つ（例えば、キー入力手段１０４Ｅ）は、電子時計１００の動作モードを切り替える入力を受け付けるモードボタンである。表示部１０５は、液晶ディスプレイまたはセグメントディスプレイ等であり、情報を表示する。
【００１５】
以下、キー入力手段１０４Ａ、１０４Ｂ、１０４Ｃが配置された方向を左、キー入力手段１０４Ｄ、１０４Ｅ、１０４Ｆが配置された方向を右として電子時計１００の左右方向を定める。
【００１６】
図２は、本実施形態における電子時計１００の構成を示すブロック図である。図示する例では、電子時計１００は、ＣＰＵ（Ｃｅｎｔｒａｌ  Ｐｒｏｃｅｓｓｉｎｇ  Ｕｎｉｔ）１０１（制御部）と、発振回路１０２と、分周回路１０３と、キー入力手段１０４と、表示部１０５と、電池１０６と、ＲＡＭ（Ｒａｎｄｏｍ  Ａｃｃｅｓｓ  Ｍｅｍｏｒｙ、ランダムアクセスメモリ）１１０と、ＲＯＭ（Ｒｅａｄ  Ｏｎｌｙ  Ｍｅｍｏｒｙ、読み出し専用メモリ）１１１とを備える。
【００１７】
ＣＰＵ１０１は、電子時計１００が備える各部の制御を行う。例えば、ＣＰＵ１０１は、モードボタンが入力を受け付けると、動作モードを切り替える。また、ＣＰＵ１０１は、分周回路１０３から入力された計測信号に基づいて現在時刻を計時する。また、ＣＰＵ１０１は、分周回路１０３から入力された計測信号に基づいて経過時間を計測する。ＣＰＵ１０１と、発振回路１０２と、分周回路１０３とが経過時間を計測する時間計測部を構成する。
【００１８】
発振回路１０２は、所定周波数（例えば、３２７６８Ｈｚ）の発振信号を生成して分周回路１０３に出力する。分周回路１０３は、発振回路１０２から入力された発振信号の周波数を分周して計測の基準となる計測信号を生成し、生成した計測信号をＣＰＵ１０１に出力する。キー入力手段１０４は、操作入力を受け付ける。表示部１０５は、情報を表示する。電池１０６は、電子時計１００が備える各部に、動作するための電力を供給する。
【００１９】
ＲＡＭ１１０は、電子時計１００の各部が用いるデータを記憶する。ＲＯＭ１１１は、ＣＰＵ１０１が実行する動作用プログラムを予め記憶している。この動作用プログラムは、ＣＰＵ１０１の起動時に読み出される。
【００２０】
次に、電子時計１００における動作モードの遷移について説明する。図３は、本実施形態における電子時計１００の動作モードの遷移を示す概略図である。ＣＰＵ１０１は、時刻モード時にモードボタンが入力を受け付けた場合には、動作モードをクロノグラフモードに切り替える。また、ＣＰＵ１０１は、クロノグラフモード時にモードボタンが入力を受け付けた場合には、動作モードをデータモードに切り替える。また、ＣＰＵ１０１は、データモード時にモードボタンが入力を受け付けた場合には、動作モードをアラームモードに切り替える。また、ＣＰＵ１０１は、アラームモード時にモードボタンが入力を受け付けた場合には、動作モードを時刻モードに切り替える。
【００２１】
また、ＣＰＵ１０１は、時刻モード時にモードボタンが長押し入力を受け付けた場合には、動作モードを固定するモード固定状態で動作モードをクロノグラフモードに切り替える。ＣＰＵ１０１は、モード固定状態のクロノグラフモード時には、モードボタンが長押し入力を受け付けた場合にのみ、動作モードをデータモードに切り替える。すなわち、ＣＰＵ１０１は、モード固定状態のクロノグラフモード時にモードボタンが短押し入力を受け付けた場合は、動作モードを切り替えない。なお、長押し入力は、所定時間（例えば、２秒）以上の間、キー入力手段１０４が押下される入力である。また、短押し入力は、所定時間（例えば、２秒）未満の間、キー入力手段１０４が押下される入力である。
【００２２】
また、ＣＰＵ１０１は、モード固定状態でないクロノグラフモード時にモードボタンが長押し入力を受け付けると、所定機能を実行している（経過時間の計測をしている）場合にはモード固定状態になる。また、ＣＰＵ１０１は、モード固定状態でないクロノグラフモード時にモードボタンが長押し入力を受け付けると、所定機能を実行していない（経過時間の計測をしていない）場合には動作モードを時刻モードに切り替える。
【００２３】
なお、ＣＰＵ１０１は、クロノグラフモード時にスタートボタンが入力を受け付けると、経過時間の計測を開始する。また、ＣＰＵ１０１は、経過時間の計測中にストップボタンが入力を受け付けると、経過時間の計測を停止する。スタートボタン及びストップボタンは、キー入力手段１０４のうちモードボタン以外のいずれか（例えば、キー入力手段１０４Ｆ）である。
【００２４】
次に、本実施形態における電子時計１００が、動作モードを切り替える動作モード切替処理について説明する。図４は、本実施形態における電子時計１００が実行する動作モード切替処理の処理手順を示したフローチャートである。電子時計１００は、起動時に図示する動作モード切替処理を実行する。
【００２５】
（ステップＳ１０１）ＣＰＵ１０１は、動作モードを時刻モードに切り替え、時刻モードにおける処理を実行する。その後、ステップＳ１０２の処理に進む。
（ステップＳ１０２）ＣＰＵ１０１は、モードボタンが短押し入力を受け付けたか否かを判定する。ＣＰＵ１０１は、モードボタンが短押し入力を受け付けたと判定した場合には、ステップＳ１１０の処理に進む。一方、ＣＰＵ１０１は、モードボタンが短押し入力を受け付けていないと判定した場合には、ステップＳ１０３の処理に進む。
【００２６】
（ステップＳ１０３）ＣＰＵ１０１は、モードボタンが長押し入力を受け付けたか否かを判定する。ＣＰＵ１０１は、モードボタンが長押し入力を受け付けたと判定した場合には、ステップＳ１０４の処理に進む。一方、ＣＰＵ１０１は、モードボタンが長押し入力を受け付けていないと判定した場合には、ステップＳ１０２の処理に戻る。
【００２７】
（ステップＳ１０４）ＣＰＵ１０１は、モード固定状態で動作モードをクロノグラフモードに切り替え、クロノグラフモードにおける処理を実行する。その後、ステップＳ１０５の処理に進む。
（ステップＳ１０５）ＣＰＵ１０１は、モードボタンが長押し入力を受け付けたか否かを判定する。ＣＰＵ１０１は、モードボタンが長押し入力を受け付けたと判定した場合には、ステップＳ１０６の処理に進む。一方、ＣＰＵ１０１は、モードボタンが長押し入力を受け付けていないと判定した場合には、ステップＳ１０５の処理に戻る。
【００２８】
（ステップＳ１０６）ＣＰＵ１０１は、動作モードをデータモードに切り替え、データモードにおける処理を実行する。その後、ステップＳ１０７の処理に進む。
（ステップＳ１０７）ＣＰＵ１０１は、モードボタンが入力を受け付けたか否かを判定する。ＣＰＵ１０１は、モードボタンが入力を受け付けたと判定した場合には、ステップＳ１０８の処理に進む。一方、ＣＰＵ１０１は、モードボタンが入力を受け付けていないと判定した場合には、ステップＳ１０７の処理に戻る。
【００２９】
（ステップＳ１０８）ＣＰＵ１０１は、動作モードをアラームモードに切り替え、アラームモードにおける処理を実行する。その後、ステップＳ１０９の処理に進む。
（ステップＳ１０９）ＣＰＵ１０１は、モードボタンが入力を受け付けたか否かを判定する。ＣＰＵ１０１は、モードボタンが入力を受け付けたと判定した場合には、ステップＳ１０１の処理に戻る。一方、ＣＰＵ１０１は、モードボタンが入力を受け付けていないと判定した場合には、ステップＳ１０９の処理に戻る。
【００３０】
（ステップＳ１１０）ＣＰＵ１０１は、動作モードをクロノグラフモードに切り替え、クロノグラフモードにおける処理を実行する。その後、ステップＳ１１１の処理に進む。
（ステップＳ１１１）ＣＰＵ１０１は、ストップウォッチ機能による経過時間の計測をしているか否かを判定する。ＣＰＵ１０１は、経過時間を計測している場合にはステップＳ１１２の処理に進む。一方、ＣＰＵ１０１は、経過時間を計測していない場合にはステップＳ１１３の処理に進む。
【００３１】
（ステップＳ１１２）ＣＰＵ１０１は、モードボタンが長押し入力を受け付けたか否かを判定する。ＣＰＵ１０１は、モードボタンが長押し入力を受け付けたと判定した場合には、ステップＳ１０４の処理に進む。一方、ＣＰＵ１０１は、モードボタンが長押し入力を受け付けていないと判定した場合には、ステップＳ１１１の処理に戻る。
【００３２】
（ステップＳ１１３）ＣＰＵ１０１は、モードボタンが短押し入力を受け付けたか否かを判定する。ＣＰＵ１０１は、モードボタンが短押し入力を受け付けたと判定した場合には、ステップＳ１０６の処理に進む。一方、ＣＰＵ１０１は、モードボタンが短押し入力を受け付けていないと判定した場合には、ステップＳ１１４の処理に進む。
【００３３】
（ステップＳ１１４）ＣＰＵ１０１は、モードボタンが長押し入力を受け付けたか否かを判定する。ＣＰＵ１０１は、モードボタンが長押し入力を受け付けたと判定した場合には、ステップＳ１０１の処理に戻る。一方、ＣＰＵ１０１は、モードボタンが長押し入力を受け付けていないと判定した場合には、ステップＳ１１１の処理に戻る。
【００３４】
上述したとおり、本実施形態では、ＣＰＵ１０１は、時刻モード時またはクロノグラフモード時にモードボタンが長押し入力を受け付けると、モード固定状態のクロノグラフモードに動作モードを切り替える。そして、ＣＰＵ１０１は、モード固定状態のクロノグラフモードでは、モードボタンが長押し入力を受け付けた場合にのみ、動作モードを他のモード（データモード）に切り替える。すなわち、ＣＰＵ１０１は、モード固定状態のクロノグラフモードでは、モードボタンが短押しされても動作モードを切り替えない。
【００３５】
これにより、例えば、ランニング中にクロノグラフモードで経過時間を計測しているときに、手首等がモードボタンに当たって動作モードが切り替わってしまうことを防ぐことができる。すなわち、ユーザの意図しないボタン入力による誤操作を防ぐことができる。また、ロック機構やカバー等を設ける必要がないため、電子時計１００の重量やサイズは増大しない。更に、電子時計１００は、長押し入力によりモード固定状態にすることができるため、キー入力手段１０４（ボタン）等の数を増やすことなく、誤操作防止の機能を付加することができる。よって、電子時計１００の重量やサイズに影響を与えることなく、誤操作を防止することができる。
【００３６】
また、ランニング中には、手首等がキー入力手段１０４に当たってボタン入力されてしまうことがあるが、モード固定状態のクロノグラフモードでは、モードボタンが長押し入力を受け付けた場合にのみ動作モードを他のモードに切り替えるため、モードボタンを手首側（例えば、電子時計１００の左側（特に、３時方向にあるキー入力手段１０４Ｅ等））に設置することができる。すなわち、モードボタンの設置位置が制限されない。よって、モードボタンを誤入力し易い位置に配置することが可能であり、他のボタン（例えば、スタートボタン、ラップタイムを記録するためのラップボタン、またはストップボタン等）を誤入力し難い位置に配置することができる。
【００３７】
また、本実施形態では、ＣＰＵ１０１は、クロノグラフモード時にモードボタンが長押し入力を受け付けると、経過時間を計測している場合はモード固定状態になり、経過時間を計測していない場合は時刻モードに移行する。これにより、クロノグラフモード時に経過時間を計測していない場合は、１つの操作（モードボタン長押し入力）で動作モードを時刻モードに切り替えることができ、操作性を向上させることができる。また、クロノグラフモード時に経過時間を計測している場合は、モードボタン長押し入力により、動作モードを固定するモード固定状態にすることができる。
【００３８】
（第２の実施形態）
次に、本発明の第２の実施形態について説明する。図５は、本実施形態における電子時計２００の構成を示すブロック図である。電子時計２００は、高度計及び方位計付き電子時計である。電子時計２００は、現在時刻を表示する時刻モードと、高度計により高度を計測するとともに方位計により方位を検出する計測モードと、計測モードにおいて記録した高度及び方位に関するログを表示するデータモードと、アラームを設定するアラームモードとの４種類の動作モードのいずれかで動作する。
【００３９】
本実施形態における電子時計２００は、図２に示す第１の実施形態における電子時計１００の構成に加えて、気圧計測部２０７と、方位検出部２０８とを備える。他の構成及び外観構成は、第１の実施形態と同様であるため説明を省略する。
【００４０】
気圧計測部２０７は、例えば気圧センサであり、気圧を計測し、計測した気圧をＣＰＵ２０１に出力する。ＣＰＵ２０１は、高度計測を行うプログラムを実行して、電子時計２００の一機能として高度計測機能を実現する。具体的には、高度計測を行うプログラムをＲＯＭ２１１に記憶させ、ＣＰＵ２０１がプログラムを読み出し、実行することで、気圧計測部２０７から入力された気圧に基づいて高度を算出する機能を実現する。この場合、電子機器２００は、高度計測を行う高度計測部を含むとみなすことができる。
【００４１】
方位検出部２０８は、方位を検出し、検出した方位に関する方位データをＣＰＵ１０１に出力する。例えば、方位検出部２０８は、Ｘ方向の磁場の強さを検出するＸ方向磁気センサと、Ｘ方向に直交するＹ方向の磁場の強さを検出するＹ方向磁気センサとを備え、Ｘ方向磁気センサの磁場検出値とＹ方向磁気センサの磁場検出値から方位を求める。
【００４２】
次に、電子時計２００における動作モードの遷移について説明する。図６は、本実施形態における電子時計２００の動作モードの遷移を示す概略図である。ＣＰＵ２０１は、時刻モード時にモードボタンが入力を受け付けた場合には、動作モードを計測モードに切り替える。また、ＣＰＵ２０１は、計測モード時にモードボタンが入力を受け付けた場合には、動作モードをデータモードに切り替える。また、ＣＰＵ２０１は、データモード時にモードボタンが入力を受け付けた場合には、動作モードをアラームモードに切り替える。また、ＣＰＵ２０１は、アラームモード時にモードボタンが入力を受け付けた場合には、動作モードを時刻モードに切り替える。
【００４３】
また、ＣＰＵ２０１は、時刻モード時にモードボタンが長押し入力を受け付けた場合には、動作モードを固定するモード固定状態で動作モードを計測モードに切り替える。ＣＰＵ２０１は、モード固定状態の計測モード時には、モードボタンが長押し入力を受け付けた場合にのみ、動作モードをデータモードに切り替える。すなわち、ＣＰＵ２０１は、モード固定状態の計測モード時にモードボタンが短押し入力を受け付けた場合は、動作モードを切り替えない。
【００４４】
また、ＣＰＵ２０１は、モード固定状態でない計測モード時にモードボタンが長押し入力を受け付けると、所定機能を実行している（ログを記録している）場合にはモード固定状態になる。また、ＣＰＵ２０１は、モード固定状態でない計測モード時にモードボタンが長押し入力を受け付けると、所定機能を実行していない（ログを記録していない）場合には動作モードを時刻モードに切り替える。
【００４５】
なお、ＣＰＵ２０１は、計測モード時に、ログ記録開始ボタンが入力を受け付けると、高度計測処理を実行し、計測した高度と方位検出部２０８が検出した方位とを所定時間毎にＲＡＭ２１０に記憶されたログファイルに記録する（ログを記録する）。ログファイルに記録された情報が、高度及び方位に関するログである。また、ＣＰＵ２０１は、所定時間毎にログを記録しているときに、ログ記録停止ボタンが入力を受け付けると、所定時間毎のログの記録を停止する。ログ記録開始ボタン及びログ記録停止ボタンは、キー入力手段２０４のうちモードボタン以外のいずれか（例えば、キー入力手段２０４Ｆ）である。
【００４６】
次に、本実施形態における電子時計２００が、動作モードを切り替える動作モード切替処理について説明する。図７は、本実施形態における電子時計２００が実行する動作モード切替処理の処理手順を示したフローチャートである。電子時計２００は、起動時に図示する動作モード切替処理を実行する。
【００４７】
（ステップＳ２０１）ＣＰＵ２０１は、動作モードを時刻モードに切り替え、時刻モードにおける処理を実行する。その後、ステップＳ２０２の処理に進む。
（ステップＳ２０２）ＣＰＵ２０１は、モードボタンが短押し入力を受け付けたか否かを判定する。ＣＰＵ２０１は、モードボタンが短押し入力を受け付けたと判定した場合には、ステップＳ２１０の処理に進む。一方、ＣＰＵ２０１は、モードボタンが短押し入力を受け付けていないと判定した場合には、ステップＳ２０３の処理に進む。
【００４８】
（ステップＳ２０３）ＣＰＵ２０１は、モードボタンが長押し入力を受け付けたか否かを判定する。ＣＰＵ２０１は、モードボタンが長押し入力を受け付けたと判定した場合には、ステップＳ２０４の処理に進む。一方、ＣＰＵ２０１は、モードボタンが長押し入力を受け付けていないと判定した場合には、ステップＳ２０２の処理に戻る。
【００４９】
（ステップＳ２０４）ＣＰＵ２０１は、モード固定状態で動作モードを計測モードに切り替え、計測モードにおける処理を実行する。その後、ステップＳ２０５の処理に進む。
（ステップＳ２０５）ＣＰＵ２０１は、モードボタンが長押し入力を受け付けたか否かを判定する。ＣＰＵ２０１は、モードボタンが長押し入力を受け付けたと判定した場合には、ステップＳ２０６の処理に進む。一方、ＣＰＵ２０１は、モードボタンが長押し入力を受け付けていないと判定した場合には、ステップＳ２０５の処理に戻る。
【００５０】
（ステップＳ２０６）ＣＰＵ２０１は、動作モードをデータモードに切り替え、データモードにおける処理を実行する。その後、ステップＳ２０７の処理に進む。
（ステップＳ２０７）ＣＰＵ２０１は、モードボタンが入力を受け付けたか否かを判定する。ＣＰＵ２０１は、モードボタンが入力を受け付けたと判定した場合には、ステップＳ２０８の処理に進む。一方、ＣＰＵ２０１は、モードボタンが入力を受け付けていないと判定した場合には、ステップＳ２０７の処理に戻る。
【００５１】
（ステップＳ２０８）ＣＰＵ２０１は、動作モードをアラームモードに切り替え、アラームモードにおける処理を実行する。その後、ステップＳ２０９の処理に進む。
（ステップＳ２０９）ＣＰＵ２０１は、モードボタンが入力を受け付けたか否かを判定する。ＣＰＵ２０１は、モードボタンが入力を受け付けたと判定した場合には、ステップＳ２０１の処理に戻る。一方、ＣＰＵ２０１は、モードボタンが入力を受け付けていないと判定した場合には、ステップＳ２０９の処理に戻る。
【００５２】
（ステップＳ２１０）ＣＰＵ２０１は、動作モードを計測モードに切り替え、計測モードにおける処理を実行する。その後、ステップＳ２１１の処理に進む。
（ステップＳ２１１）ＣＰＵ２０１は、ログを記録しているか否かを判定する。ＣＰＵ２０１は、ログを記録している場合にはステップＳ２１２の処理に進む。一方、ＣＰＵ２０１は、ログを記録していない場合にはステップＳ２１３の処理に進む。
【００５３】
（ステップＳ２１２）ＣＰＵ２０１は、モードボタンが長押し入力を受け付けたか否かを判定する。ＣＰＵ２０１は、モードボタンが長押し入力を受け付けたと判定した場合には、ステップＳ２０４の処理に進む。一方、ＣＰＵ２０１は、モードボタンが長押し入力を受け付けていないと判定した場合には、ステップＳ２１１の処理に戻る。
【００５４】
（ステップＳ２１３）ＣＰＵ２０１は、モードボタンが短押し入力を受け付けたか否かを判定する。ＣＰＵ２０１は、モードボタンが短押し入力を受け付けたと判定した場合には、ステップＳ２０６の処理に進む。一方、ＣＰＵ２０１は、モードボタンが短押し入力を受け付けていないと判定した場合には、ステップＳ２１４の処理に進む。
【００５５】
（ステップＳ２１４）ＣＰＵ２０１は、モードボタンが長押し入力を受け付けたか否かを判定する。ＣＰＵ２０１は、モードボタンが長押し入力を受け付けたと判定した場合には、ステップＳ２０１の処理に戻る。一方、ＣＰＵ２０１は、モードボタンが長押し入力を受け付けていないと判定した場合には、ステップＳ２１１の処理に戻る。
【００５６】
上述したとおり、本実施形態では、ＣＰＵ２０１は、時刻モード時または計測モード時にモードボタンが長押し入力を受け付けると、モード固定状態の計測モードに動作モードを切り替える。そして、ＣＰＵ２０１は、モード固定状態の計測モードでは、モードボタンが長押し入力を受け付けた場合にのみ、動作モードを他のモード（データモード）に切り替える。すなわち、ＣＰＵ２０１は、モード固定状態の計測モードでは、モードボタンが短押しされても動作モードを切り替えない。
【００５７】
これにより、例えば、登山中に計測モードでログを記録しているときに、手首等がモードボタンに当たって動作モードが切り替わってしまうことを防ぐことができる。すなわち、ユーザの意図しないボタン入力による誤操作を防ぐことができる。また、ロック機構やカバー等を設ける必要がないため、電子時計２００の重量やサイズは増大しない。更に、電子時計２００は、長押し入力によりモード固定状態にすることができるため、キー入力手段２０４（ボタン）等の数を増やすことなく、誤操作防止の機能を付加することができる。よって、電子時計２００の重量やサイズに影響を与えることなく、動作モード切り替えに関する誤操作を防止することができる。
【００５８】
また、登山中には、手首等がキー入力手段２０４に当たってボタン入力されてしまうことがあるが、モード固定状態の計測モードでは、モードボタンが長押し入力を受け付けた場合にのみ動作モードを他のモードに切り替えるため、モードボタンを手首側（例えば、電子時計２００の左側（特に、３時方向にあるキー入力手段２０４Ｅ等）））に設置することができる。すなわち、モードボタンの設置位置が制限されない。よって、モードボタンを誤入力し易い位置に配置することが可能であり、他のボタン（例えば、ログ記録開始ボタン、ログ記録停止ボタン等）を誤入力し難い位置に配置することができる。
【００５９】
また、本実施形態では、ＣＰＵ２０１は、計測モード時にモードボタンが長押し入力を受け付けると、ログを記録している場合にはモード固定状態になり、ログを記録していない場合は時刻モードに移行する。これにより、計測モード時にログを記録していない場合には、１つの操作（モードボタン長押し入力）で、動作モードを時刻モードに切り替えることができ、操作性を向上させることができる。また、計測モード時にログを記録している場合には、モードボタン長押し入力により、動作モードを固定するモード固定状態にすることができる。
【００６０】
なお、上述した実施形態における電子時計１００，２００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００６１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６２】
以上、本発明の実施形態について説明したが、本発明は、上記実施形態に限定されるものではなく、本発明の趣旨を逸脱しない範囲において種々の変更を加えることが可能である。
【００６３】
例えば、上述した実施形態では、モード固定状態にする所定モードをクロノグラフモードまたは計測モードとしたが、これに限らず、歩数を計測する歩数計測モードや心拍を検出する心拍検出モード等、他のモードであってもよい。
【００６４】
なお、電子時計１００または電子時計２００は、モード固定状態にする所定モードが歩数計測モードである場合には、歩数を計測する歩数計測部を備える。例えば、歩数計測部は、加速度センサを備え、加速度センサが検出する走行時または歩行時における体の上下方向の振動に基づいて歩数を計測する。また、電子時計１００または電子時計２００は、モード固定状態にする所定モードが心拍検出モードである場合には、心拍を検出する心拍検出部を備える。例えば、心拍検出部は、心臓の鼓動に伴って発生する心電信号を検出することにより心拍を検出する。
【符号の説明】
【００６５】
１００，２００・・・電子時計、１０１，２０１・・・ＣＰＵ、１０２，２０２・・・発振回路、１０３，２０３・・・分周回路、１０４，２０４・・・キー入力手段、１０５，２０５・・・表示部、１０６，２０６・・・電池、１１０，２１０・・・ＲＡＭ、１１１，２１１・・・ＲＯＭ、２０７・・・気圧計測部、２０８・・・方位検出部
【図１】
2015021740.tif 000003
【図２】
2015021740.tif 000004
【図３】
2015021740.tif 000005
【図４】
2015021740.tif 000006
【図５】
2015021740.tif 000007
【図６】
2015021740.tif 000008
【図７】
2015021740.tif 000009